(57)【要約】【課題】磁気回路を構成する部品結合部の熱膨張差で発生する高周波の衝撃を応力の開放により防止することができる磁気ディスク装置を提供することを目的とする。【解決手段】磁気ディスク装置に備えた磁気回路組立体２５は、上側に位置するマグネット部材が接着された第一のヨーク３０と、下側に位置するマグネット部材が接着された第二のヨークとから構成され、第一のヨーク３０の一端部は、ベース筐体１２の一端部に形成されたネジ孔に螺合する第二の締結部材５２により固定され、第二のヨークの他端部は、ベース筐体１２の他端部に形成されたネジ孔に螺合する第一の締結部材５１とにより固定される片側締結構成とする。【選択図】        図１
2009238336.tif 000002
【特許請求の範囲】
【請求項１】
磁気ディスク装置に対する情報の記録または再生を行なう磁気ヘッドと、前記磁気ヘッドを支持するキャリッジと、前記キャリッジに駆動力を与える磁気回路とを、ベースの所定位置に配設して構成される磁気ディスク装置であって、
前記磁気回路は、
前記キャリッジに固着された駆動コイルと、磁石部材とがそれぞれ付設されるとともに、当該磁石部材の磁力により互いに吸引し、対向するように配設された上側に位置する第一のヨークと、下側に位置する第二のヨークとから構成され、
前記第一のヨークの一端部は、
前記ベースの一端部に形成されたネジ孔に螺合する第一の締結部材により固定され、
前記第二のヨークの他端部は、
前記ベースの他端部に形成されたネジ孔に螺合する第二の締結部材により固定されることを特徴とする磁気ディスク装置。
【請求項２】
前記磁気回路を構成する第一のヨークの形状と第二のヨークの形状とは、同一形状の構成部品であることを特徴とする請求項１に記載の磁気ディスク装置。
【請求項３】
前記磁気回路を構成する前記第一のヨークの他端部と前記第二のヨークの一端部は、それぞれ自由端となるように、前記ベースに固定されない状態で外方に向けて開放されることを特徴とする請求項１または２に記載の磁気ディスク装置。
【発明の詳細な説明】
【技術分野】
【０００１】
本発明は、磁気回路を備えた磁気ディスク装置に関し、特に、磁気回路を構成する部品結合部の熱膨張差で発生する高周波の衝撃を応力の開放により吸収することができる磁気ディスク装置に関する。
【背景技術】
【０００２】
近年、磁気ディスク装置における記録容量の拡大にともなって、磁気ヘッドによる記録媒体に対する記録密度が向上している。そのため、記録媒体へデータを書き込む精度を向上させることが重要になっている。
【０００３】
ここで、磁気ディスク上のトラックに対する磁気ヘッドの位置決め動作の駆動手段として使用される磁気回路には、ボイスコイルモータ（ＶＣＭ：Voice  Coil  Motor）が一般的に用いられ、この磁気回路は、駆動コイルと、永久磁石と、一対のヨーク部材とから構成されている（以下、「磁気回路」を「磁気回路組立体」と称する）。概略的に説明すると、磁気ヘッドを先端部に取り付けたアクチュエータには、駆動コイルが取り付けられており、永久磁石と一対のヨーク部材とはハウジングのベース筐体に固定されている（例えば、特許文献１参照）。
【０００４】
以下、図５、６を用いて従来の磁気ディスク装置Ａ´を構成する磁気回路組立体５について説明する。図５は、磁気ディスク装置Ａ´の全体構成図を、図６は、磁気回路組立体５の斜視図をそれぞれ示している。
【０００５】
同図に示すように、磁気ディスク装置Ａ´には、磁気ヘッド１を先端部に固設したヘッドアセンブリ２と、このヘッドアセンブリ２を支持するとともに、ピボットベアリング４を中心に揺動するアクチュエータ３と、このアクチュエータ３の駆動手段である磁気回路組立体５とがハウジング１１に設けたベース筐体１２の所定の位置に設けられている。
【０００６】
また、磁気回路組立体５は、上側に位置する上ヨーク６と、下側に位置する下ヨーク７とで構成され、このうち下ヨーク７の両端部に形成された通孔８および通孔９を挿通する締結用のネジ部材１０により、下ヨーク７を磁気ディスク装置Ａ´のベース筐体１２に形成されたネジ孔(図示せず)に締結することで、磁気回路組立体５を磁気ディスク装置Ａ´の所定の位置に固定している。
【０００７】
【特許文献１】特開２００３−１４１８７２号公報
【発明の開示】
【発明が解決しようとする課題】
【０００８】
ところが、上述した磁気ディスク装置Ａ´の磁気回路組立体５の場合、以下に示すような問題がある。すなわち、磁気ディスクが回転し、データの書き込みや読み込み動作が開始されると、磁気ディスク装置内部の温度が徐々に上昇することとなる。ここで、磁気ディスク装置の内部で使用している部品は、異種の金属や樹脂材が組み合わされた部品が使用されている。このように、これら各部品の材質は異なるものとなっているため、環境温度が常温から高温となった場合、もしくは高温から低温になった場合には、各部品の熱膨張差により、部品の結合部（取り付け箇所）に応力が発生することとなり、この応力が一定値を超えた場合には、瞬間的に応力が開放され、これにより、高周波の衝撃が発生することとなる。ここで、前記したように、磁気ディスク装置Ａ´は、磁気ヘッド１による書き込みを行なっているため、高周波の衝撃が発生した場合には、磁気ヘッド１が制御周波数を超える速さの衝撃により揺動し、この結果、データの書き込みエラーなどの不具合が生じる可能性がある。
【０００９】
具体的に説明すると、図５に示すように、磁気回路組立体５の場合、アルミ系のベース筐体１２に対して鉄系の上ヨーク６と下ヨーク７とがそれぞれ締結用のネジ部材１０により締結されているため、部品結合部での熱膨張差による応力が発生する可能性が高い。すなわち、温度の上昇過程で材質の異なる部品同士による熱膨張係数の違い等から変位差が生じ、それが歪みとなり、その歪みがネジの締結力を超え開放された時に高周波による衝撃が発生することとなり、磁気ヘッド１に対する悪影響を及ぼす結果となる。
【００１０】
ここで、このような高周波による衝撃対策としては、ネジ部材との締結個所に樹脂材を挟持させるなどの対策を行なう事が考えられるが、この場合には、部品が追加となるためコストが嵩むなどの点で問題がある。
【００１１】
そこで、この発明は、上述した従来技術の課題を解決するためになされたものであり、
部品結合部の熱膨張差で発生する高周波の衝撃を応力の開放により吸収することができる磁気ディスク装置を提供することを目的とする。
【課題を解決するための手段】
【００１２】
上述した問題を解決し、目的を達成するため、請求項１に係る発明は、磁気ディスク装置に対する情報の記録または再生を行なう磁気ヘッドと、前記磁気ヘッドを保持するキャリッジと、前記キャリッジに駆動力を与える磁気回路とを、ベースの所定位置に配設して構成される磁気ディスク装置であって、前記磁気回路は、前記キャリッジに固着された駆動コイルと、磁石部材とがそれぞれ付設されるとともに、当該磁石部材の磁力により互いに吸引し、対向するように配設された上側に位置する第一のヨークと、下側に位置する第二のヨークとから構成され、前記第一のヨークの一端部は、前記ベースの一端部に形成されたネジ孔に螺合する第一の締結部材により固定され、前記第二のヨークの他端部は、前記ベースの他端部に形成されたネジ孔に螺合する第二の締結部材により固定されることを特徴とする。
【００１３】
また、請求項２に係る発明は、上記の発明において、前記磁気回路を構成する第一のヨークの形状と第二のヨークの形状とは、同一形状の構成部品であることを特徴とする。
【００１４】
また、請求項３に係る発明は、上記の発明において、前記磁気回路を構成する前記第一のヨークの他端部と前記第二のヨークの一端部は、それぞれ自由端となるように、前記ベースに固定されない状態で外方に向けて開放されることを特徴とする。
【発明の効果】
【００１５】
請求項１の発明によれば、磁気ディスク装置に設けられた磁気回路は、キャリッジに固着された駆動コイルと、磁石部材とがそれぞれ付設されるとともに、当該磁石部材の磁力により互いに着磁し、対向するように配設された上側に位置する第一のヨークと、下側に位置する第二のヨークとから構成され、第一のヨークの一端部は、ベースの一端部に形成されたネジ孔に螺合する第一の締結部材により固定され、第二のヨークの他端部は、ベースの他端部に形成されたネジ孔に螺合する第二の締結部材により固定されるので、環境温度の変化による結合部応力を緩和することができるうえ、部品結合部で発生する熱膨張差で発生する高周波の衝撃を応力の開放により吸収することができるという効果を奏する。また、第一のヨークと第二のヨークとの結合は、螺号や金属同士の結合などよりも弱い磁石部材による着磁力で結合することができ、これによって、より発生した応力の開放を容易とすることができる。
【００１６】
また、請求項２の発明によれば、磁気回路を構成する第一のヨークの形状と第二のヨークの形状とは、同一形状の構成部品であるので、部品材料の共通化および部品の組み立て工程を効率的とすることができ、これによって、コスト削減を図ることができる。
【００１７】
また、請求項３の発明によれば、磁気回路を構成する第一のヨークの他端部と前記第二のヨークの一端部は、それぞれ自由端となるように、ベースに固定されない状態で外方に向けて開放されるので、より熱膨張差で発生する高周波の衝撃を応力の開放により吸収することができる。
【発明を実施するための最良の形態】
【００１８】
以下に添付図面を参照し、本発明の磁気ディスク装置に係る実施例１について詳細に説明する。図１は、磁気ディスク装置の概要を示す全体構成図である。ここで、図１は、磁気ディスク装置Ａの上蓋が取り外され、磁気ディスク装置Ａのハウジング１１の内部を構成するベース筐体１２の内部構造が可視となっている状態を示している。なお、以下に示す実施例１によりこの発明が限定されるものではない。
【実施例１】
【００１９】
ここで、本実施例１では、磁気回路組立体２５を構成する第一のヨーク３０（上側のヨーク部材）と第二のヨーク４０（下側のヨーク部材）とを一体的にベース筐体１２に対して固定する場合、従来のように、複数箇所（２箇所または３箇所）で、これら第一、二のヨーク３０、４０をベース筐体１２に固定するのではなく、ベース筐体１２に対する第一、二のヨーク３０、４０（上下のヨーク部材）のそれぞれの固定箇所を１箇所とし、ベース筐体１２に固定されていない端部を自由端とすることで、部品結合部で発生した熱膨張差による応力を開放することに特徴がある。
【００２０】
また、第二のヨーク４０とベース筐体１２との部品結合部で発生する熱膨張差による伸びを開放するべく、第一のヨーク３０と第二のヨーク４０間は、金属結合などの強度の高いものではなく、強度の低い磁石の吸引力を利用して結合する構成としている。
【００２１】
［磁気ディスク装置の構成］
先ず、図１を用いて、磁気ディスク装置Ａの全体構成を説明する。図１は、実施例１に係る磁気ディスク装置Ａの構成を概略的に示す図である。また、図２は、磁気回路組立体２５の構成を示す斜視図である。また、図３は、図２に示した磁気回路組立体の構成を示す断面図である。
【００２２】
同図に示すように、磁気ディスク装置Ａは、各種のデータや位置制御情報を記録するための磁気ディスク１３と、この磁気ディスク１３を所定の速度で回転駆動させるスピンドルモータ１４と、磁気ヘッド１５を先端部に固設したヘッドアセンブリ１６と、このヘッドアセンブリ１６を支持するアクチュエータ１７と、ピボットベアリング１８の軸部１９を中心に揺動し、磁気ヘッド１５の位置決めを行なうためのアクチュエータ１７と、アクチュエータ１７の駆動手段である磁気回路組立体２５とがハウジング１１に設けたベース筐体１２の所定の位置に設けられている。図１において、破線で示す位置が磁気ヘッド１５によるロード状態を、実線で示す位置が磁気ヘッド１５の待機状態（アンロード状態）を表している。
【００２３】
磁気ヘッド１５は、読み出し素子と書き込み素子とで構成された電磁変換素子が搭載されており、磁気ディスク１３に対する各種のデータや位置制御情報の読み出しや書き込み動作を行なう。
【００２４】
また、アクチュエータ１７の近傍には、ＶＣＭコイル２２と、ＶＣＭコイル２２を支持する二股状のコイルアーム２０、２１が設けられている。すなわち、第一のヨーク３０と第二のヨーク４０との間には、ＶＣＭコイル２２が、マグネット部材３６ａおよびマグネット部材３６ａと一定の距離を保つように介在されており、このＶＣＭコイル２２は、マグネット３６ａおよびマグネット３６ｂによって発生する磁界中において、通電に基づいてアクチュエータ１７を左右に揺動させることができる。
【００２５】
[磁気回路組立体２５の構成]
以下、上述した磁気回路組立体２５の構成の詳細について説明する。図２および図３に示すように、磁気回路組立体２５を構成する第一のヨーク３０は、断面が略Ｌ字型の本体部３１により構成され、この本体部３１の一端側（図２、３の右側）には、内側（図２、３の下側）に向けてほぼ直角に屈曲した側板部３２が形成されている。また、本体部３１の内方には、ピボットベアリング１８と近接する湾曲部３３が形成されている。
【００２６】
また、本体部３１の他端側（図２、３の左側）は、直線状に延出した延出部３４が形成され、この延出部３４の端部には、第一のヨーク３０を、ベース筐体１２に取り付けるための第二の締結ネジ５２を挿通させる通孔３５が形成されている。
【００２７】
後述するように、第一のヨーク３０の通孔３５を挿通した第二の締結ネジ５２をベース筐体１２の他端部（図３、４の左側）に形成されたネジ孔１２ｃと螺合することで、第一のヨーク３０をベース筐体１２に締結する構成としている。また、第一のヨーク３０の内側面（図３の下面部）には、マグネット部材３６ａが接着固定されている。
【００２８】
また、同図に示すように、第二のヨーク４０は、第一のヨーク３０と同様に断面が略Ｌ字型の本体部４１により構成され、この本体部４１の一端側（図２、３の左側）には、内側（図２、３の上側）に向けてほぼ直角に屈曲した側板部４２が形成されている。また、本体部４１の内方は、ピボットベアリング１８と近接する湾曲部４３が形成されている。
【００２９】
また、本体部４１の他端側（図２、３の左側）は、直線状に延出した延出部４４が形成され、この延出部４４の端部には、この第二のヨーク４０を、ベース筐体１２に取り付けるための第一の締結ネジ５１を挿通させるための通孔４５が形成されている。また、第二のヨーク４０の内側面（図３の上面部）には、マグネット部材３６ｂが接着固定されている。
【００３０】
また、ベース筐体１２の一端側（図３の右側）には、凸部１２ａが固設されるとともに、この凸部１２ａには第一の締結部材５１と螺合するネジ孔１２ｂが形成されている。ここで、このベース筐体１２に形成された凸部１２ａは、第二のヨーク４０の本体部４１の一端側（図３の右側）に形成された通孔４５と嵌合自在になっている。また、このベース筐体１２の他端側（図４の左側）には、第二の締結部材５２と螺合するネジ孔１２ｃが形成されている。
【００３１】
次に、図４を用いて、磁気回路組立体２５の組み付けの概要について説明する。図４は、磁気回路組立体２５の組み付けの一例を示す説明図である。すなわち、図４に示すように、先ず、第二のヨーク４０の本体部４１の他端部（図４の右側）に形成された通孔４５に、ベース筐体１２の他端部（図４の右側）に固設された凸部１２ａを嵌合させるとともに、第一の締結部材５１を凸部１２ａに形成されたネジ孔１２ｂに螺合させ締結する。これにより、第二のヨーク４０をベース筐体１２に対して取り付け固定することができる。
【００３２】
次いで、ベース筐体１２の一端部（図４の左側）に形成されたネジ孔１２ｃと第一のヨーク３０の本体部３１に形成された通孔３５とを一致させるとともに、第一のヨーク３０の通孔３５を挿通させた第二の締結部材５２をネジ孔１２ｃに螺合させ締結する。
【００３３】
これにより、第一のヨーク３０をベース筐体１２に対して取り付け固定することができる。同図に示すように、このように磁気回路組立体２５を構成する第一のヨーク３０と第二のヨーク４０とをそれぞれベース筐体１２に対して、片側結合により取り付け固定することができる。
【００３４】
そして、このように、第一のヨーク３０と第二のヨーク４０とを結合固定した場合、これら第一のヨーク３０と第二のヨーク４０とは、第一のヨーク３０に接着されたマグネット部材３６ａと第二のヨーク４０に接着されたマグネット部材３６ｂとにより互いに磁気吸着することで結合されている。
【００３５】
言い換えると、第一のヨーク３０と第二のヨーク４０との結合は、金属結合などの強度の高いものではなく、強度の低い磁石の吸引力を利用して結合する構成としているため、第一のヨーク３０および第二のヨーク４０とベース筐体１２との結合部で発生する熱膨張差による伸びを嵌合部で吸収することができ、これによって、磁気回路組立体２５を構成する部品結合部の熱膨張差で発生する高周波の衝撃を防止することができる。
【００３６】
以上説明したように、本実施例１の磁気ディスク装置を構成する磁気回路組立体２５は、上側に位置する第一のヨーク３０と、下側に位置する第二のヨーク４０とから構成され、第一のヨーク３０の一端部は、ベース筐体１２の一端部に形成されたネジ孔３５に螺合する第二の締結部材５２により固定され、第二のヨーク４０の他端部は、ベース筐体１２の他端部に形成されたネジ孔１２ｂに螺合する第一の締結部材５１とにより固定される片側締結構成としているので、下ヨーク７を両側締結構成としている従来構造と比べて、磁気回路組立体２５を構成する部品結合部の熱膨張差で発生する応力を抑制し、高周波の衝撃を発生を防止することができる。
【００３７】
以上の実施例１を含む実施形態に関し、さらに以下の付記を開示する。
【００３８】
（付記１）磁気ディスク装置に対する情報の記録または再生を行なう磁気ヘッドと、前記磁気ヘッドを保持するキャリッジと、前記キャリッジに駆動力を与える磁気回路とを、ベースの所定位置に配設して構成される磁気ディスク装置であって、
前記磁気回路は、
前記キャリッジに固着された駆動コイルと、磁石部材とがそれぞれ付設されるとともに、当該磁石部材の磁力により互いに吸引し、対向するように配設された上側に位置する第一のヨークと、下側に位置する第二のヨークとから構成され、
前記第一のヨークの一端部は、
前記ベースの一端部に形成されたネジ孔に螺合する第一の締結部材により固定され、
前記第二のヨークの他端部は、
前記ベースの他端部に形成されたネジ孔に螺合する第二の締結部材により固定されることを特徴とする磁気ディスク装置。
【００３９】
（付記２）前記磁気回路を構成する第一のヨークの形状と第二のヨークの形状とは、同一形状の構成部品であることを特徴とする付記１に記載の磁気ディスク装置。
【００４０】
（付記３）前記磁気回路を構成する前記第一のヨークの他端部と前記第二のヨークの一端部は、それぞれ自由端となるように、前記ベースに固定されない状態で外方に向けて開放されることを特徴とする付記１、２に記載の磁気ディスク装置。
【００４１】
（付記４）前記ベースの一端部および他端部に形成されたネジ孔に螺合する第一の締結部材および第二の締結部材は、それぞれ樹脂材を挟持した状態で螺合することを特徴とする付記１、２または３に記載の磁気ディスク装置。
【産業上の利用可能性】
【００４２】
本発明は、磁気回路を備えた磁気ディスク装置に有用であり、特に、部品結合部の熱膨張差で発生する高周波の衝撃を応力の開放により吸収することができる磁気ディスク装置として効果的である。
【図面の簡単な説明】
【００４３】
【図１】実施例１に係る磁気ディスク装置の概要を示す全体構成図である。
【図２】図１に示した磁気回路組立体の構成を示す斜視図である。
【図３】図２に示した磁気回路組立体の構成を示す断面図である。
【図４】図２に示した磁気回路組立体の組み付けの一例を示す説明図である。
【図５】従来の磁気ディスク装置の概要を示す全体構成図である。
【図６】従来の磁気回路組立体の構成を示す斜視図である。
【符号の説明】
【００４４】
Ａ、Ａ′  磁気ディスク装置
１、１５  磁気ヘッド
２、１６  ヘッドアセンブリ
３、１７  アクチュエータ
４、１８  ピボットベアリング
５、２５  磁気回路組立体
１１  ハウジング
１２  ベース筐体
１３  磁気ディスク
３０  第一のヨーク
３１、４１  本体部
３２、４２  側板部
３４、４４  延出部
３５、４５  通孔
３６ａ、３６ｂ  マグネット部材
４０  第二のヨーク
【図１】
2009238336.tif 000003
【図２】
2009238336.tif 000004
【図３】
2009238336.tif 000005
【図４】
2009238336.tif 000006
【図５】
2009238336.tif 000007
【図６】
2009238336.tif 000008